(57)【要約】【課題】肩掛けベルトのみでバッグを身体に支えられ、脱着が容易で、装着したまま身体の後ろ側へ移動させれば、行動の邪魔になず、体裁も良好であり、また構造が比較的簡単で安価に製作できる犬猫用のショルダーバッグを提供する。【解決手段】柔軟なシート材で構成された本体２と肩掛けベルト３とで犬猫搬送用のショルダーバッグ１を構成する。本体２は、四囲が側壁４，５，６，７で囲まれ、上方に開放したほぼ舟形に構成し、それの相対向する一対の側壁４，５における左右の端部間を結合するように肩掛けベルト３を取り付けてある。肩掛けベルト３を袈裟懸け状に肩に掛け、犬猫を本体２内に横たえて収容する。本体２に犬猫を収容しない場合には、邪魔にならず、また目立たないように、本体２を扁平につぶして、容易に身体の後ろ側へ移動させる。【選択図】　図１
2004008742.tif 000002
【特許請求の範囲】
【請求項１】
柔軟なシート材で構成され、四囲が側壁で囲まれ、上方に開放したほぼ舟形の本体と、
この本体の相対向する一対の側壁における相異なる横方向の端部間を結合する肩掛けベルトとを具備し、
この肩掛けベルトを袈裟懸け状に肩に掛け、犬猫を本体内に横たえて収容することを特徴とする犬猫搬送用ショルダーバッグ。
【請求項２】
前記本体は、装着時に体側に沿う第１の側壁と、これと対向する第２の側壁と、第１の側壁と第２の側壁の左右の側縁間を結合する第３及び第４の側壁を有し、
前記第１の側壁及び第２の側壁の上縁からは、夫々ほぼ三角形状の延出片が延出し、
前記第１の側壁の延出片は、横方向の一端側に頂部が配され、横方向の他端側に向かって徐々に縮小し、
前記第２の側壁の延出片は、横方向の他端側に頂部が配され、横方向の一端側に向かって徐々に縮小し、
前記肩掛けベルトの両端は、前記一対の延出片の頂部に結合されていることを特徴とする請求項１に記載の犬猫搬送用ショルダーバッグ。
【請求項３】
前記本体の第３及び第４の側壁の上縁は、伸縮調整自在に構成されていることを特徴とする請求項２に記載の犬猫用ショルダーバッグ。
【請求項４】
前記本体は、展開状態において一対の横辺と一対の左右辺とを有し、湾曲して連続する第１及び第２の側壁を構成する四角形状の主シートと、
展開状態において前記主シートの左右辺から夫々ほぼ楕円弧状に延出し、主シートの湾曲状態で前記第３及び第４の側壁を構成する一対のマチシートとを具備し、
前記延出片は、前記主シートの各横辺から延出し、展開状態において主シートと連続した平行四辺形を構成する三角形状シートで構成されることを特徴とする請求項２又は３に記載の犬猫搬送用ショルダーバッグ。
【発明の詳細な説明】
【０００１】
【発明の属する技術分野】
この発明は犬猫搬送用のショルダーバッグに関し、小型犬等を中に収容し、肩に掛けて搬送するためのショルダーバッグに係るものである。
【０００２】
【従来の技術】
犬猫を搬送する場合に用いられるショルダーバッグとして、例えば、特開２００２−１３６３２１号の公報に記載されたものが知られている。この犬猫用ショルダーバッグは、横長篭状袋体上面の開口部における後縁と前縁を結合するショルダーベルトを備える。開口部後縁には、ウエストベルトを備える。開口部の左右側縁を弾性伸縮可能又は伸縮調整および固定可能な態様に構成される。
【０００３】
【発明が解決しようとする課題】
上記従来の犬猫用ショルダーバッグは、ショルダーベルトとウエストベルトとでバッグを身体に支えるものであり、脱着が容易でなく、また装着したまま犬を歩かせるときに身体の前面側にバッグ本体が配置されるために行動の邪魔になるし、体裁も良好といえない難点がある。また構造が比較的複雑でコスト高になるという問題点がある。
従って、この発明は、肩掛けベルトのみでバッグを身体に支えられ、脱着が容易で、装着したまま身体の後ろ側へ移動させれば、行動の邪魔になず、体裁も良好であり、また構造が比較的簡単で安価に製作できる犬猫用のショルダーバッグを提供することを目的としている。
【０００４】
【課題を解決するための手段】
上記課題を解決するため、この発明においては、柔軟なシート材で構成された本体２と肩掛けベルト３とで犬猫搬送用のショルダーバッグ１を構成した。本体２は、四囲が側壁４，５，６，７で囲まれ、上方に開放したほぼ舟形に構成し、この本体２の相対向する一対の側壁４，５における相異なる横方向の端部間を結合するように肩掛けベルト３を取り付けてある。肩掛けベルト３を袈裟懸け状に肩に掛け、犬猫を本体２内に横たえて収容できるようにした。本体２に犬猫を収容しない場合には、邪魔にならず、また目立たないように、本体２を扁平につぶして、容易に身体の後ろ側へ移動させることができる。
【０００５】
【発明の実施の形態】
図面を参照してこの発明の実施の形態を説明する。図１はショルダーバッグの斜視図、図２はショルダーバッグの展開図、図３はショルダーバッグの使用状態の説明図、図４はショルダーバッグの不使用状態の説明図である。
【０００６】
図において、犬猫搬送用のショルダーバッグ１は、犬猫を横たえた状態で収容する本体２と、本体２を肩に吊るための肩掛けベルト３とで構成される。本体２は、柔軟なシート材で構成され、四囲が側壁４，５，６，７で囲まれ、上方に開放したほぼ舟形の袋体である。この本体２の相対向する一対の側壁４，５における相異なる横方向の端部間を結合するように肩掛けベルト３が取り付けられている。図３に示すように、肩掛けベルト３を袈裟懸け状に肩に掛け、犬猫を本体２内に横たえて収容する。
【０００７】
本体２は、装着した時に体側に沿う第１の側壁４と、これに対向する第２の側壁５と、第１の側壁と第２の側壁の左右の側縁間を結合する第３及び第４の側壁６，７を有し、第１の側壁４及び第２の側壁５の上縁からは、夫々ほぼ三角形状の延出片８，９が延出している。
【０００８】
前記第１の側壁４の延出片８は、横方向の一端側（図１において右側）に頂部が配され、横方向の他端側（図１において左側）に向かって徐々に面積を縮小している。第２の側壁５の延出片９は、左端側に頂部が配され、右端側に向かって徐々に面積を縮小している。
【０００９】
肩掛けベルト３の一端側は、延出片８の頂部に結合され、他端側は、延出片９の頂部に結合されている。肩掛けベルト３は、中間部にファスナ３ａを備えている。
【００１０】
本体２の第３及び第４の側壁６，７の上縁には、紐１０が通され、この紐１０の締め方を加減することによって、上縁部の幅を伸縮調整自在に構成されている。
【００１１】
図２に示すように、本体２は、主シート１１とマチシート１２とで構成される。主シート１１は、展開状態において一対の横辺１３，１４と一対の左右辺１５，１６とを有する四角形状をなし、例えば内側に合成樹脂製の柔軟な芯ボードを縫いくるんだシートで構成する。主シート１１は、図１に示すように、Ｕ字状に湾曲することによって、下部が連続する第１及び第２の側壁４，５を構成する。
【００１２】
側壁６，７を構成するマチシート１２は、図２に示す展開状態において主シート１１の左右辺１５，１６から夫々ほぼ楕円弧状に延出している。マチシート１２は、図１に示すように、主シート１１をＵ字状に湾曲させ、紐１０を適当に引き締めた状態で側壁６，７を構成する。
【００１３】
ほぼ三角形状のシートで構成される延出片８，９は、主シート１１の各横辺１３，１４から延出し、図２に示す展開状態において、主シート１１と連続した平行四辺形を構成するように配置される。
【００１４】
肩掛けベルト３には、犬の飛び出しを防止するために、犬の首輪に結合するためのつなぎ紐１７が取り付けられている。
【００１５】
この実施形態のショルダーバッグ１は、図３に示すように、肩掛けベルト３を肩に袈裟懸け状に掛けて使用する。予め犬のサイズに合わせて紐１０を適当に引き締め、バッグ本体２の収容空間の幅を定めておく。犬をバッグ本体２の収容空間に容れるときに、肩掛けベルト３が左右の端部に位置するので、邪魔にならず容易に収容できる。犬猫を収容しないで歩かせる場合には、本体２を扁平につぶして、図４に示すように、身体の後ろ側へまわしておけば、邪魔にならず、また目立たずに体裁も良好である。
【００１６】
【発明の効果】
以上のように、この発明においては、柔軟なシート材で構成された本体２と肩掛けベルト３とで犬猫搬送用のショルダーバッグ１を構成した。本体２は、四囲が側壁４，５，６，７で囲まれ、上方に開放したほぼ舟形に構成し、この本体２の相対向する一対の側壁４，５における相異なる横方向の端部間を結合するように肩掛けベルト３を取り付けてある。肩掛けベルト３を袈裟懸け状に肩に掛け、犬猫を本体２内に横たえて収容するようにしたため、肩掛けベルト３のみでバッグを身体に支えることができ、脱着が容易で、装着したまま身体の後ろ側へ移動させれば、行動の邪魔になず、体裁も良好であり、また構造が比較的簡単で安価に製作できるという効果を有する。
【図面の簡単な説明】
【図１】ショルダーバッグの斜視図である。
【図２】ショルダーバッグの展開図である。
【図３】ショルダーバッグの使用状態の説明図である。
【図４】ショルダーバッグの不使用状態の説明図である。
【符号の説明】
１　　ショルダーバッグ
２　　本体
３　　肩掛けベルト
３ａ　ファスナ
４　　側壁
５　　側壁
６　　側壁
７　　側壁
８　　延出片
９　　延出片
１０　紐
１１　主シート
１２　マチシート
１３　横辺
１４　横辺
１５　左辺
１６　右辺
１７　つなぎ紐
【図１】
2004008742.tif 000003
【図２】
2004008742.tif 000004
【図３】
2004008742.tif 000005
【図４】
2004008742.tif 000006